(57)【要約】  【課題】本発明は、パート歌唱補助機能を備える車載用カラオケシステムに関し、カラオケ利用者に特別な操作や体勢を要求せずに、自動的に所望の搭乗者にのみ複数歌唱曲の担当歌唱パートの歌詞音声を聴取可能とすることを目的とする。  【解決手段】メインスピーカ１５の他に、座席ＩＤが関連付けられた各座席に対応してそれぞれ指向性スピーカ１５−Ｎが配置され、選曲楽曲に歌唱者の当該座席ＩＤが関連付けられるものであり、また、楽曲が複数歌唱者曲の場合に歌唱パートに関する歌唱情報が付随されているもので、歌詞音声再生制御手段３２が歌詞音声出力部３３に対し、複数歌唱者曲の歌詞音声データに基づく歌唱者別の歌詞音声を、各歌唱パートで選曲時に指定された歌唱者別の座席ＩＤに対応した指向性スピーカ１５−Ｎに出力調整切替部３７で切り替えさせて出力させる構成とする。  【選択図】  図１
2008216399.tif 000002
【特許請求の範囲】
【請求項１】
利用者が選曲したカラオケ楽曲の演奏データに基づきカラオケ演奏を行うもので、演奏に際して歌詞音声信号を出力させる機能を備えるパート歌唱補助機能を備える車載用カラオケシステムであって、
演奏信号及び歌唱音声信号を出力するメインスピーカの他に、各座席に対応して指向性スピーカが配置され、また、当該座席毎に座席ＩＤが関連付けられて選曲楽曲が複数歌唱者曲である場合に歌唱者別の当該座席ＩＤが関連付けられるものであり、
楽曲データ記憶部、歌詞音声出力部及び出力調整切替部を少なくとも有し、
前記楽曲データ記憶部は、少なくとも演奏データ及び当該演奏データに同期した歌詞音声データで構成され、当該歌詞音声データが複数歌唱者曲の場合に歌唱パートに関する歌唱情報が付随された楽曲を歌唱データファイルとして所定数記憶し、
前記出力調整切替部は、前記選曲楽曲に関連付けられた所定数の座席ＩＤから、対応の前記指向性スピーカを特定して切り替える制御を行い、
前記歌詞音声出力部は、歌詞音声データに基づく歌詞音声信号を歌唱者数に応じた歌唱パート毎に送出するものであり、当該歌唱パート毎の歌詞音声信号を前記切り替えられた対応の指向性スピーカより出力させる、
ことを特徴とするパート歌唱補助機能を備える車載用カラオケシステム。
【請求項２】
請求項１記載のパート歌唱補助機能を備える車載用カラオケシステムであって、さらに予約管理手段を備え、選曲楽曲に、選曲者の選択による歌詞音声出力の有無を関連付け、歌詞音声出力の場合に歌唱者の座席ＩＤ及び性別を関連付けて登録管理することを特徴とするパート歌唱補助機能を備える車載用カラオケシステム。
【発明の詳細な説明】
【技術分野】
【０００１】
本発明は、自動車内等に設置されてカラオケ演奏に伴うボーカルガイドの歌詞音声を出力するパート歌唱補助機能を備える車載用カラオケシステムに関する。
【背景技術】
【０００２】
近年、カラオケシステムは、カラオケ利用者に様々な歌唱アシスト情報を提供し、利用者の歌唱をボーカルガイドによりアシストするカラオケシステムも想到されている。このようなカラオケシステムの車載用の利用において、ボーカルガイドとなる歌詞音声の出力を少なくとも歌唱者のみに聴別可能であることが望まれ、歌唱パート毎に歌唱者が異なるデュエット曲においても同様である。
【０００３】
従来、利用者が歌い慣れていない曲や歌唱が非常に難しい曲を歌う際、利用者が伴奏音楽について行けない時にガイドボーカル音声を流すようにしたカラオケ演奏装置が登場している。このようなガイドボーカル機能では、通常、歌唱アシスト情報は空気振動で音を伝達する通常のメインスピーカ（音圧式スピーカ）から発せられるため、他者にも歌唱アシスト情報が聞こえることとなることから、他者に歌唱アシスト情報を聞かれてしまうことを歌唱者が好まないこともあると共に、歌唱アシスト情報と歌唱音声とが混同し、歌唱アシスト情報と歌唱音声とが紛らわしく聞こえてしまうこととなって好ましくない。
【０００４】
ところで、カラオケ演奏装置のガイドボーカルやナビゲーションシステム音声ガイドの出力、あるいは聴別をエリア毎に制御することが、以下の特許文献等で知られている。
【０００５】
【特許文献１】特開２００５−２４２０５７号公報
【特許文献２】特開２００５−２１７８０７号公報
【特許文献３】特開２００５−２４１２７１号公報
【０００６】
上記特許文献１には、人の骨を介して音楽や楽音を伝達する技術である骨伝導技術を車載用のカラオケシステムに採用し、歌唱アシスト情報をカラオケ演奏に伴って所定の条件で出力し、出力された歌唱アシスト情報を利用者に伝達するための骨伝導手段を附帯させ、当該骨伝導手段を利用者が着座するシート内に組み込むことが開示されている。
【０００７】
また、上記特許文献２には、複数個の座席を有し、各座席に登場する搭乗者にスピーカから出力される音声を聞かせるための車載用スピーカシステムに関して、それぞれのスピーカに指向性スピーカを用い、当該指向性スピーカを各座席に異なる音場を形成させて座席毎に独立の音声を再生するように配置させることが開示されている。
【０００８】
また、上記特許文献３には、音声ガイド付カーナビゲーションシステムに関し、運転者の近傍に音声ガイドを出力する指向性スピーカを配置すると共に、運転者の両耳近傍の位置に運転者専用スピーカと集音マイクを配置して、指向性スピーカより音声ガイドが出力されているときに集音マイクで周辺のオーディオ信号を集音し、当該オーディオ信号と逆送成分の信号を運転者専用スピーカより出力することにより、運転者のみに音声ガイドのみを聞こえる構成とすることが開示されている。
【発明の開示】
【発明が解決しようとする課題】
【０００９】
しかしながら、上記特許文献１のものは、骨伝導手段の骨伝導スピーカが着座シートのヘッドレスト部に組み込まれ、当該ヘッドレスト部に利用者の頭部が接触しているときに当該骨伝導スピーカが機能されるものであり、当該骨伝導スピーカの機能が果たされるためには常に頭部を接触状態としなければならない。また、上記特許文献２のものは、座席毎の指向性スピーカを独立で音声再生させるためには座席毎のリモコンにより分配機を制御させるものであることから、座席毎の着座者がそれぞれリモコン制御する必要があって煩雑であるという問題がある。
【００１０】
さらに、上記特許文献３のものは、基本的には音声ガイドのみを運転者のみに聞こえるようにしたものであり、オーディオ信号及び音声ガイド信号の何れかの音源を、運転者及び同乗者の何れかに聞かせるために他方を打ち消すものであることから、例えばカラオケにおける演奏とガイドボーカルの両方を同時に聞かせる必要性があるときには適用できないという問題がある。
【００１１】
そこで、本発明は上記課題に鑑みなされたもので、カラオケ利用者に特別な操作や体勢を要求せずに、歌唱パート毎に歌唱者が異なる楽曲においても自動的に所望の搭乗者にのみ担当歌唱パートの歌詞音声を聴取可能とするパート歌唱補助機能を備える車載用カラオケシステムを提供することを目的とする。
【課題を解決するための手段】
【００１２】
上記課題を解決するために、請求項１の発明では、利用者が選曲したカラオケ楽曲の演奏データに基づきカラオケ演奏を行うもので、演奏に際して歌詞音声信号を出力させる機能を備えるパート歌唱補助機能を備える車載用カラオケシステムであって、演奏信号及び歌唱音声信号を出力するメインスピーカの他に、各座席に対応して指向性スピーカが配置され、また、当該座席毎に座席ＩＤが関連付けられて選曲楽曲が複数歌唱者曲である場合に歌唱者別の当該座席ＩＤが関連付けられるものであり、楽曲データ記憶部、歌詞音声出力部及び出力調整切替部を少なくとも有し、前記楽曲データ記憶部は、少なくとも演奏データ及び当該演奏データに同期した歌詞音声データで構成され、当該歌詞音声データが複数歌唱者曲の場合に歌唱パートに関する歌唱情報が付随された楽曲を歌唱データファイルとして所定数記憶し、前記出力調整切替部は、前記選曲楽曲に関連付けられた所定数の座席ＩＤから、対応の前記指向性スピーカを特定して切り替える制御を行い、前記歌詞音声出力部は、歌詞音声データに基づく歌詞音声信号を歌唱者数に応じた歌唱パート毎に送出するものであり、当該歌唱パート毎の歌詞音声信号を前記切り替えられた対応の指向性スピーカより出力させる、構成とする。
【００１３】
請求項２の発明では、さらに予約管理手段を備え、選曲楽曲に、選曲者の選択による歌詞音声出力の有無を関連付け、歌詞音声出力の場合に歌唱者の座席ＩＤ及び性別を関連付けて登録管理する構成である。
【発明の効果】
【００１４】
本発明によれば、インスピーカの他に、座席ＩＤが関連付けられた各座席に対応してそれぞれ指向性スピーカが配置され、選曲楽曲に歌唱者の当該座席ＩＤが関連付けられるものであり、また、楽曲データ記憶部には楽曲毎に、少なくとも演奏データ及び当該演奏データに同期した歌詞音声データで構成され、当該歌詞音声データが複数歌唱者曲の場合に歌唱パートに関する歌唱情報が付随されて記憶されるもので、複数歌唱者曲の歌詞音声データに基づく歌唱者別の歌詞音声を、各歌唱パートで選曲時に指定された歌唱者別の座席ＩＤに対応した指向性スピーカより出力させる構成とすることにより、カラオケ利用者に特別な操作や体勢を要求せずに、自動的に所望の搭乗者にのみ複数歌唱曲の担当歌唱パートの歌詞音声を聴取可能とすることができるものである。
【発明を実施するための最良の形態】
【００１５】
以下、本発明の最良の実施形態を図により説明する。本実施形態では、歌唱対象の楽曲をデュエット曲として説明するが、デュエット曲は男女別歌唱の他に、例えばハーモニー曲などの性別に無関係なものをも含むものであり、性別に無関係な場合には第１、第２などに置き換えればよい。
【００１６】
図１に、本発明に係るパート歌唱補助機能を備える車載用カラオケシステムのブロック構成図を示す。図１において、車載用カラオケシステム１１は、利用者が選曲したカラオケ楽曲の演奏データに基づきカラオケ演奏を行うもので、演奏に際して歌詞音声を歌唱パート毎に出力させる機能を備えるものとして、カラオケ本体１２と、当該カラオケ本体１２に接続される表示部１３、マイク１４Ａ，１４Ｂ、メインスピーカ１５、指向性スピーカ１５−１Ａ，１５−１Ｂ，１５−２Ａ，１５−２Ｂが接続され、リモコン装置１６が無線式で接続可能とされる。
【００１７】
ここで、上記表示部１３は、楽曲選曲表示やカラオケ演奏時の映像、歌詞テロップを表示するもので、後述の操作パネル３５と連動するユーザインタフェース機能を備える。上記ユーザインタフェース機能としては、例えば液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１８】
上記メインスピーカ１５は、演奏信号及び有線式若しくは無線式（ハンドフリー方式を含む）のマイク１４Ａ，１４Ｂから入力される歌唱音声信号が出力される。図では無線式のマイク１４Ａ，１４Ｂが用いられるものとしている。上記指向性スピーカ１５−１Ａ，１５−１Ｂ，１５−２Ａ，１５−２Ｂは、ガイドボーカル出力専用のもので、座席ＩＤが関連付けられた座席に対応して配置される（図２で説明する）。上記リモコン装置１６は、その構成は公知のもので十分であり、専ら歌唱楽曲を選曲や、歌唱中のキー設定、エコー設定等を行うためのものである。
【００１９】
上記カラオケ本体１２は、バス２１、中央制御部２２、ＲＯＭ２３、ＲＡＭ２４、楽曲データ記憶部である楽曲ＤＢ（楽曲データベース）２５、楽曲検索手段２７、予約管理手段２８、音楽曲出力部２９、再生制御部３０、操作入力ＩＦ（インタフェース）３１、歌詞音声出力部３３、ミキシングアンプ３４、操作パネル３５、受信部３６、出力調整切替部３７及びアンプ３８を適宜備える。
【００２０】
上記中央制御部２２は、このシステムを統括的に処理制御する物理的なＣＰＵであり、ＲＯＭ２３に記憶されているプログラムに基づくアルゴリズム処理を行う。上記ＲＡＭ２４は、種々のプログラムを展開、実行させるための作業領域としての役割をなすもので、例えば半導体メモリで構成され、仮想的にハードディスク上に構築される場合をも含む概念である。
【００２１】
上記楽曲ＤＢ２５は、少なくとも演奏データ及び当該演奏データに同期した歌詞音声データで構成され、当該歌詞音声データが複数歌唱者曲の場合に歌唱パートに関する歌唱情報が付随された楽曲を歌唱データファイルとして所定数記憶しておくデータベースであり、詳細は図３で説明する。
【００２２】
上記楽曲選択手段２７は、上記表示部１３（操作パネル３５）からの入力やリモコン装置１６からの入力によって利用者に楽曲を検索させて選曲するためのプログラムであり、ＲＡＭ２４に展開されて実行される。上記予約管理手段２８は、利用者がリモコン装置１６（又は操作パネル３５（表示部１３））を用いて選曲した楽曲を予約管理するものであって、選曲された楽曲に、選曲者の選択による歌詞音声出力の有無を関連付け、歌詞音声出力の場合に歌唱者の座席ＩＤ及び性別を関連付けて選択された楽曲コード及び楽曲名を予約待ち行列に記憶して管理するプログラムであり、ＲＡＭ２４に展開されて実行される。
【００２３】
上記音楽曲出力部２９は、楽曲コードで楽曲ＤＢ２５より抽出された演奏データをデジタル再生し、アナログ変換してミキシングアンプ３４に出力する電子回路である。当該ミキシングアンプ３４は、マイク１４Ａ，１４Ｂより入力した歌唱者の歌唱音声信号と、当該音楽曲出力部２９より送られてくる演奏信号をミキシングし、増幅してメインスピーカ１５より出力させるものである。
【００２４】
上記再生制御部３０は、演奏時に、楽曲ＤＢ２５より抽出された楽曲データのうちの背景映像データ及び歌詞テロップデータ（歌詞文字データ）を当該楽曲の演奏データに同期させて表示部１３に出力する電子回路である。上記操作入力ＩＦ３１は、操作パネル３５及びリモコン装置１６からの送信信号を受信する受信部３６からの入力信号に対して整合性をとるためのプログラムないし電子回路である。当該操作パネル３５は、上記表示部１３のユーザインタフェース機能と連動して、エコーや左右バランス、メインスピーカ１５からの出力音量のボリウムの他、歌唱楽曲を選曲する操作ボタン等を含んだものである。
【００２５】
上記歌詞音声出力部３３は、演奏データに同期した歌唱パート毎の歌詞音声データをデコードした歌詞音声信号の歌唱者別の歌詞音声を、歌唱者数に応じた歌唱パート毎にアンプ３８に送出するプログラムないし電子回路である。ここで、同期とは、完全同期はもちろん、所定のタイムラグを含む概念である。
【００２６】
上記出力調整切替部３７は、選曲楽曲に関連付けられた所定数の座席ＩＤから、対応の前記指向性スピーカを特定して切り替える制御を行うプログラムである。詳細には、予約管理手段２８におけるＲＡＭ２４に形成したメモリ領域の予約待ち行列のうち、演奏対象の予約待ち行列に基づいて、関連付けられた男性座席ＩＤ及び女性座席ＩＤから、対応の指向性スピーカ１５−Ｎをそれぞれ特定し、アンプ３８に対して、出力先を、各歌唱パートのうち、第１チャンネルの男性担当歌唱パートの歌詞音声信号を出力させる指向性スピーカ１５−Ｎ、及び第２チャンネルの女性担当歌唱パートの歌詞音声信号を出力させる指向性スピーカ１５−Ｎに切り替えるものである。
【００２７】
そして、アンプ３８は、各第１指向性スピーカ１５−１Ａ〜第４指向性スピーカ１５−２Ｂのそれぞれに対して独立し、対応の出力端子を備える。出力端子からの歌詞音声の出力は上記出力調整切替部３７により切り替えられるもので、歌詞音声出力部３３からの各歌唱パートの歌詞音声信号のうち、第１チャンネル及び第２チャンネルの歌唱パートの歌詞音声信号を切り替えられた対応の指向性スピーカ１５−Ｎに増幅して出力するものである。
【００２８】
ここで、図２に、図１における車載用カラオケシステムの車内配置の説明図を示す。図２（Ａ）において、例えば乗用車４１には４つの座席があるものとして、ハンドル４２のある位置が運転者の座席となる。各座席には座席ＩＤ（１Ａ，１Ｂ，２Ａ，２Ｂ）が関連付けられている。この乗用車４１の前方に、例えばカラオケ演奏装置１２が設けられ、その近傍に表示部１３が配置される。また、前方（後方又は前方と後方）にメインスピーカ１５が配置される。さらに、車内には、２本の無線式（ハンドフリー方式を含む）のマイク１４Ａ，１４Ｂとリモコン装置１６が持ち運び自在に置かれる。
【００２９】
そして、各座席に対応したものであって、側面側に指向性スピーカ１５−１Ａ，１５−１Ｂ，１５−２Ａ，１５−２Ｂが設けられている。すなわち、各指向性スピーカ１５−１Ａ，１５−１Ｂ，１５−２Ａ，１５−２Ｂは、各座席ＩＤと対応付けられることになる。なお、これら指向性スピーカ１５−１Ａ，１５−１Ｂ，１５−２Ａ，１５−２Ｂを各座席の上方（天井）に配置してもよく、また座席のヘッドレストに埋め込んでもよい。すなわち、各搭乗者それぞれのみに歌詞音声が聞こえる配置とされるものである。
【００３０】
例えば、図２（Ｂ）に示すように、メインスピーカ１５より演奏信号が出力され、第２指向性スピーカ１５−１Ｂ及び第３指向性スピーカ１５−２Ａより歌唱パート毎の歌詞音声信号を出力させた場合、演奏及び歌唱音声は搭乗者全員に聴取され、前部左座席（座席ＩＤ（１Ｂ））に着座した歌唱者に対してのみ担当歌唱パートの歌詞音声が聴取可能となると共に、後部右座席（座席ＩＤ（２Ａ））に着座した歌唱者に対してのみ担当歌唱パートの歌詞音声が聴取可能となるものである。
【００３１】
また、図３に、図１の楽曲ＤＢに記憶されている楽曲データファイルの説明図を示す。図３において、楽曲ＤＢ２５に記憶されている各楽曲の楽曲データファイルは、トラック１〜３に同期された演奏データ、歌詞音声データ及び背景映像データで構成される。また、当該歌詞音声データが複数歌唱者曲（デュエット曲）の場合に歌唱パートに関する歌唱情報（男女別若しくは第１、第２）が付随される。演奏データは、例えばＭＩＤＩ（登録商標）データやＭＰ３データのもので、音楽曲出力部２９でデコードされてメインスピーカ１５より出力される。
【００３２】
また、歌詞音声データは、演奏データに同期して歌唱される上記演奏データと同形式の音声データであり、歌詞音声出力部３３でデコードされて所定の指向性スピーカ１５−Ｎより出力される。そして、背景映像データは、映像データと歌詞テロップデータより構成されるもので、当該映像データは例えばＭＰＥＧデータであり、当該歌詞テロップデータは演奏データに同期された楽曲の歌詞文字データである。
【００３３】
続いて、図４に、図１の楽曲予約表示画面の説明図を示す。図４（Ａ）は、表示部１３上に楽曲予約をする場合の予約画面を示したもので、所定の搭乗者が例えばリモコン装置１６を用いて楽曲検索手段２７の機能により所定の楽曲を検索し、又は他の同乗者に検索させて歌唱楽曲が選曲される際、例えば歌手名、曲名等で表示されると共に、当該画面において、ガイドボーカル（歌詞音声）の出力の有無が選択される。図では、ガイドボーカルの出力をオン状態として示している。
【００３４】
また、選択曲がデュエット曲である場合には、例えば曲名にデュエット曲である旨の表示がなされ、デュエットとして歌唱するかをオン、オフで選択させ、さらに歌唱者を男女別に座席ＩＤで指定させる。図では、男性ボーカルとして前部左座席（１列目Ｂ番）で座席ＩＤが１Ｂ、女性ボーカルとして後部右座席（２列目のＡ番）で座席ＩＤが２Ａで指定された場合を示している。なお、選択曲がデュエット曲でない場合には、例えばデュエット指定欄を指定不可表示（グレイ表示）とすればよい。そして、当該選曲された楽曲は、図４（Ｂ）に示すように、予約管理手段２８がＲＡＭ２４に形成したメモリ領域の予約待ち行列に、当該予約される楽曲（楽曲コード）に男女別の座席ＩＤ及び歌詞音声（ガイドボーカル）出力の状態（ここではオン状態）を関連付けて登録管理するものである。
【００３５】
そこで、図５に本発明における歌詞音声出力のフローチャートを示すと共に、図６に本発明における歌詞音声出力の説明図を示す。図５（Ａ）において、選択楽曲が演奏される際、中央制御部２２が予約管理手段２８の予約待ち行列より演奏対象の楽曲を特定する（ステップ（Ｓ１））。特定された楽曲に、関連付けられた情報として当該楽曲がデュエット曲であり（Ｓ２）、歌詞音声（ガイドボーカル）出力の情報が含まれていれば（Ｓ３）、当該中央制御部２２は、演奏対象の楽曲のデータファイルを楽曲ＤＢ２５より抽出し、トラック１の演奏データを音楽曲出力部２９に送出すると共に、トラック３の背景映像データを再生制御部３０に送出し、また、トラック２の歌詞音声データを付歌詞音声出力制御手段３２に送出する（Ｓ４）。
【００３６】
一方、特定された楽曲がデュエット曲でなく（Ｓ２）、当該楽曲に付随情報として歌詞音声（ガイドボーカル）出力の情報が含まれていない場合には（Ｓ３）、演奏対象の楽曲のデータファイルを楽曲ＤＢ２５より抽出し、トラック１の演奏データを音楽曲出力部２９に送出すると共に、トラック３の背景映像データを再生制御部３０に送出する（Ｓ５）。
【００３７】
続いて、図５（Ｂ）において、出力調整切替部３７が演奏対象の予約待ち行列に基づいて、関連付けられた男性座席ＩＤ（１Ｂ）及び女性座席ＩＤ（２Ａ）から、対応の第２指向性スピーカ１５−１Ｂ及び第３指向性スピーカ１５−２Ａを特定し、アンプ３８に対して、出力先を、各歌唱パートのうち、第１チャンネルの男性担当歌唱パートの歌詞音声信号を出力させる第２指向性スピーカ１５−１Ｂ、及び第２チャンネルの女性担当歌唱パートの歌詞音声信号を出力させる第３指向性スピーカ１５−２Ａに切り替える（Ｓ１１）。
【００３８】
また、歌詞音声出力部３３は、歌詞音声データをデコードした歌詞音声信号を、男性担当歌唱パートを第１チャンネルで、女性担当歌唱パートを第２チャンネルでアンプ１６に送出する（Ｓ１２）。そして、アンプ１６において、歌詞音声出力部３３からの各歌唱パートの歌詞音声信号のうち、第１チャンネルの歌唱パートの歌詞音声信号を第２指向性スピーカ１５−１Ｂに増幅して出力すると共に、第２チャンネルの歌唱パートの歌詞音声信号を第３指向性スピーカ１５−２Ａに増幅して出力されるものである（Ｓ１３）。
【００３９】
例えば、図６に示すように、歌唱パート１，３では女性ボーカル歌唱情報に対応して、女性の座席ＩＤ（２Ａ）に対応した第３指向性スピーカ１５−２Ａより第２チャンネルの歌詞音声が出力され、歌唱パート２，４では男性ボーカル歌唱情報に対して、男性の座席ＩＤ（１Ｂ）に対応した第２指向性スピーカ１５−１Ｂより第１チャンネルの歌詞音声が出力され、さらに歌唱パート５，６においては男性ボーカル及び女性ボーカルの合唱の歌唱情報に対して、男性及び女性の両方の座席ＩＤ（１Ｂ、２Ａ）に対応する第３指向性スピーカ１５−１Ｂ及び第２指向性スピーカ１５−２Ａよりそれぞれ第１チャンネル及び第２チャンネルの歌詞音声が出力されるものである。
【００４０】
このように、カラオケ利用者（各搭乗者）に特別な操作や体勢を要求せずに、自動的に所望の搭乗者にのみ複数歌唱曲の担当歌唱パートの歌詞音声を聴取可能とすることができるものである。
【産業上の利用可能性】
【００４１】
本発明のパート歌唱補助機能を備える車載用カラオケシステムは、自家用車や商用車（トラック、バスなど）の自動車、列車、飛行機、船舶内で設置されるカラオケシステムに利用可能である。
【図面の簡単な説明】
【００４２】
【図１】本発明に係るパート歌唱補助機能を備える車載用カラオケシステムのブロック構成図である。
【図２】図１における車載用カラオケシステムの車内配置の説明図である。
【図３】図１の楽曲ＤＢに記憶されている楽曲データファイルの説明図である。
【図４】図１の楽曲予約表示画面の説明図である。
【図５】本発明における歌詞音声出力のフローチャートである。
【図６】本発明における歌詞音声出力の説明図である。
【００４３】
１１            車載用カラオケシステム
１２            カラオケ演奏装置
１３            表示部
１５            メインスピーカ
１５−Ｎ        指向性スピーカ
２５            楽曲ＤＢ
２８            予約管理手段
３３            歌詞音声出力部
３７            出力調整切替部
４１            乗用車
【図１】
2008216399.tif 000003
【図２】
2008216399.tif 000004
【図３】
2008216399.tif 000005
【図４】
2008216399.tif 000006
【図５】
2008216399.tif 000007
【図６】
2008216399.tif 000008